(57)【特許請求の範囲】
【請求項１】
蛇口等への給湯管路の途中に設けられた給湯用熱交換器と風呂桶に溜められた水を沸かすための風呂沸かし用熱交換器とを同じ熱源で加熱するように構成した一缶二水型湯沸かし装置において、
上記給湯用熱交換器の下流において上記給湯管路を上記風呂沸かし用熱交換器に通じる管路に連通接続する連通管路を設け、その連通管路を開閉させるためのソレノイド駆動の連通開閉弁を設けると共に、上記風呂沸かし用熱交換器に通じる管路側の水圧に比べて上記給湯管路側の水圧が一定以上高くなったときにだけ開く差圧作動弁を上記連通開閉弁と並列に設け、
上記差圧作動弁を、上記連通開閉弁に対して並列な位置関係において上記連通管路の流路になるように上記連通開閉弁とは別の部分に形成された小孔と、上記小孔を上記風呂沸かし用熱交換器に通じる管路側から塞ぐようにスプリングで付勢されて配置された差圧作動弁体とで構成して、上記差圧作動弁に上記ソレノイドの働きが影響しないようにしたことを特徴とする一缶二水型湯沸かし装置。
【発明の詳細な説明】
【０００１】
【発明の属する技術分野】
この発明は、蛇口等への給湯用の給湯用熱交換器と風呂の再沸かし用の熱交換器とが同じ熱源で加熱するように構成されたいわゆる一缶二水型湯沸かし装置に関する。
【０００２】
【従来の技術】
一缶二水型湯沸かし装置においては、風呂桶に溜まった水を再湯沸かしする際に給湯用熱交換器内の水も加熱されて膨張し、それが上流の給水管側に逆流して不衛生になるおそれがある。
【０００３】
一缶二水型湯沸かし装置の場合、風呂に給湯をするために、給湯用熱交換器の下流において給湯管路を風呂沸かし用熱交換器側の管路に連通接続する連通管路が設けられており、連通管路が開いている時には、上述のような逆流現象は起きない。しかし、再湯沸かしのときは、風呂桶に新しく給湯されないように連通管路は閉じられている。
【０００４】
そこで従来は、給湯管路内の水圧上昇を吸収するためのアキュムレータを給水管路に接続配置して、上流の給水管側への逆流を防止していた。
【０００５】
【発明が解決しようとする課題】
しかし、そのようなアキュムレータは、給湯管路に接続されたシリンダ内に外方（大気側）から圧縮バネで付勢されたピストン部材を進退自在に嵌合させ、その嵌合部等を高圧負荷によっても水漏れが発生しないように頑強に構成する必要がある。そのため、再湯沸かし時の逆流防止という二次的な機能のために、装置に高コストがかかってしまう欠点があった。
【０００６】
そこで本発明は、風呂の再湯沸かしを行う際の給水管路側への逆流防止を、シンプルでコストのかからない装置で実現することができる一缶二水型湯沸かし装置を提供することを目的とする。
【０００７】
【課題を解決するための手段】
上記の目的を達成するため、本発明の一缶二水型湯沸かし装置は、蛇口等への給湯管路の途中に設けられた給湯用熱交換器と風呂桶に溜められた水を沸かすための風呂沸かし用熱交換器とを同じ熱源で加熱するように構成した一缶二水型湯沸かし装置において、上記給湯用熱交換器の下流において上記給湯管路を上記風呂沸かし用熱交換器に通じる管路に連通接続する連通管路を設け、その連通管路を開閉させるための連通開閉弁を設けると共に、上記風呂沸かし用熱交換器に通じる管路側の水圧に比べて上記給湯管路側の水圧が一定以上高くなったときにだけ開く差圧作動弁を上記連通開閉弁と並列に設けたことを特徴とする。
【０００８】
【発明の実施の形態】
図面を参照して本発明の実施の形態を説明する。
図１は一缶二水型湯沸かし装置の全体配管を示しており、給湯用熱交換器１と風呂桶１１に溜まった水を再湯沸かしするための風呂沸かし用熱交換器２とが、同じ熱源３によって加熱させるように配置されている。
【０００９】
給湯用熱交換器１に給水をするために水道管等に接続された給水管４の途中には、第１の流量センサ５が介挿接続されており、給湯用熱交換器１の出口に接続された給湯管６の先には、一つ又は複数の蛇口９が取り付けられている。
【００１０】
そして、給湯用熱交換器１をバイパスして給水管４と給湯管６との間を接続するバイパス管７と給湯管６との接続部には、給湯用熱交換器１で加熱された湯と給水管４から直接入る水の混合比を制御して、蛇口９からの出湯温度を制御する混合弁８が配置されている。
【００１１】
風呂桶１１には、途中に介挿接続されたポンプ１４によって風呂桶１１内の水を風呂沸かし用熱交換器２に送る水送り管１２と、風呂沸かし用熱交換器２で加熱された湯が戻って来る湯戻り管１３が接続されている。水送り管１２の入口近くには、空焚きを防止するために通水状態を確認するフロースイッチ１５が介挿接続されている。
【００１２】
そして、水送り管１２のフロースイッチ１５とポンプ１４との間の位置と、給湯管６の混合弁８より下流位置との間が、連通管１７によって連通接続されている。
【００１３】
連通管１７には、逆止弁１８が介挿接続されて、水送り管１２側から給湯管６側に水が流れないようになっており、逆止弁１８より給湯管６寄りの位置には、連通管１７に第２の流量センサ１９が介挿接続されていて、逆止弁１８と第２の流量センサ１９との間には、電磁ソレノイドによって駆動される連通開閉弁２０が介挿接続されている。
【００１４】
したがって、連通開閉弁２０を開けば連通管１７を経由して給湯管６から水送り管１２に湯が流れ込んで風呂桶１１内の湯量が増え、連通開閉弁２０を閉じておけば、風呂桶１１の湯量は増加しない。
【００１５】
さらに、本発明においては、水送り管１２内の水圧に比べて給湯管６内の水圧が一定以上（例えば１３kg/cm2以上）高くなったときにだけ開く差圧作動弁３０が、連通開閉弁２０の入口管路１７ａと出口管路１７ｂとの間に連通開閉弁２０と並列に連通管１７に接続されている。
【００１６】
図２は、その連通開閉弁２０と差圧作動弁３０の部分の具体構造の一例を示しており、連通開閉弁２０は、パイロット作動の電磁弁であり、筒状の弁座２２に対向して設けられた弁体２３と一体に形成されたゴム製のダイアフラム２４の裏側の空間が、他から仕切られた調圧室２５になっている。
【００１７】
そして、弁体２３と一体化された作動盤２６に、低圧の出口管路１７ｂと調圧室２５内とを連通させるパイロット孔２７と、それより細い径で高圧の入口管路１７ａと調圧室２５内とを連通させるリーク孔２８とが各々貫通穿設されている。
【００１８】
そして、パイロット孔２７は、ソレノイド２１の可動鉄芯２１ａに取り付けられたパイロット弁２９によって調圧室２５側から開閉され、その開閉にしたがって変化する調圧室２５内の圧力と入口管路１７ａ内及び出口管路１７ｂ内の圧力との差圧によって、作動盤２６と共に弁体２３が移動して弁座２２に接／離し、連通管１７が開閉される。
【００１９】
差圧作動弁３０は、入口管路１７ａと出口管路１７ｂとを直接連通させる通路部分に介挿配置されており、例えば直径１〜３ｍｍ程度の小孔３１が中央に穿設された筒状体３２内に、出口管路１７ｂ側から小孔３１を塞ぐように圧縮コイルスプリング３３で付勢された弁体３４が配置されている。
【００２０】
圧縮コイルスプリング３３の付勢力は、入口管路１７ａ側の圧力が出口管路１７ｂ側の圧力に比べて例えば１３kg/cm2以上高くなったときに、その差圧で圧縮コイルスプリング３３が圧縮されて小孔３１が開くように設定されている。３５は、シール用のＯリングである。
【００２１】
したがって、蛇口９と連通開閉弁２０とが完全に閉じられた状態で風呂桶１１に溜まった水を再湯沸かしする際に、給湯用熱交換器１内の水が一緒に加熱されて圧力が上昇し、給湯管６内の水圧が水送り管１２内の水圧より所定圧（１３kg/cm2）以上高くなると、差圧作動弁３０が開いて給湯管６側から水送り管１２側に湯が流れ込み、給湯管６内の圧力上昇が規制されて上流の給水管４方向への湯の逆流が防がれる。
【００２２】
ただし、給湯管６内の水圧上昇は給湯管６側から水送り管１２側に極めて微量の湯が流出すれば抑制されるので、風呂桶１１への増水量は実質的にゼロに等しく、再湯沸かしモードを阻害するものではない。
【００２３】
また、差圧作動弁３０の小孔３１が小さな径で済むことから、圧縮コイルスプリング３３及び弁体３４も非常に小さくて簡素なものでよく、極めて低コストの部品の使用によって十分に機能させることができる。
【００２４】
図３は、連通開閉弁２０と差圧作動弁３０の部分の第２の実施例を示しており、差圧作動弁３０を、調圧室２５内と出口管路１７ｂとの間を連通させる位置、即ち作動盤２６部分に配置したものであり、その配置以外については上述の第１の実施例と同じである。
【００２５】
連通開閉弁２０が閉じている状態では、調圧室２５内と入口管路１７ａ内とはリーク孔２８を介して通じているので、差圧作動弁３０をこのように配置しても第１の実施例と全く同様に機能する。
【００２６】
【発明の効果】
本発明によれば、一缶二水型湯沸かし装置において、風呂沸かし用熱交換器に通じる管路側の水圧に比べて給湯管路側の水圧が一定以上高くなったときにだけ開く差圧作動弁を連通開閉弁と並列に設けたことにより、風呂の再湯沸かしを行う際に給湯用熱交換器が加熱されて発生する給水管路側への逆流を、極めてシンプルでコストのかからない装置によって防止することができる。
【図面の簡単な説明】
【図１】本発明の一缶二水型湯沸かし装置の全体配管を示すブロック図である。
【図２】本発明の一缶二水型湯沸かし装置の連通開閉弁と差圧開閉弁の第１の実施例を示す縦断面図である。
【図３】本発明の一缶二水型湯沸かし装置の連通開閉弁と差圧開閉弁の第２の実施例を示す縦断面図である。
【符号の説明】
１  給湯用熱交換器
２  風呂沸かし用交換器
３  熱源
６  給湯管
９  蛇口
１１  風呂桶
１２  水送り管
１７  連通管
１７ａ  入口管路
１７ｂ  出口管路
２０  連通開閉弁
２１  ソレノイド
２２  弁座
２３  弁体
３０  差圧作動弁
３１  小孔
３３  圧縮コイルスプリング
３４  弁体
【図１】
0003805095.tif 000002
【図２】
0003805095.tif 000003
【図３】
0003805095.tif 000004